【手続補正書】
【提出日】平成16年4月5日(2004.4.5)
【手続補正１】
【補正対象書類名】明細書
【補正対象項目名】０００８
【補正方法】変更
【補正の内容】
【０００８】
本発明は、インクジェットのインク組成物の分散剤として有用であり、２，５００〜２０，０００、好ましくは約３，０００〜１５，０００の重量平均分子量を有するグラフトコポリマーに関する。このグラフトコポリマーは電子リッチな官能基を有するモノマーを含み、これらの官能基は発色顔料の表面官能基と好適な相互作用を示し、これによって水性インク組成物内のカラー顔料は良好な安定性を示す。ポリマーは、構造的に異なる二つのセグメントである親水性セグメントと疎水性セグメントとを含む。
【手続補正２】
【補正対象書類名】明細書
【補正対象項目名】００１０
【補正方法】変更
【補正の内容】
【００１０】
好適な親水性セグメントは電子リッチな官能基を含有するポリマー又はコポリマーを含み、これらの官能機は、複数のメタクリレート誘導モノマー、好ましくは置換されたメタクリレートエステルモノマー（アルキル基がシロキシル基で置換されたメタクリレートエステル、オリゴマーシロキサン）を含み、好適には、
式
【化４７】
2004537637.tif 000001
を含み、ここで、ｎは１〜２０の範囲であり、ｙは０、１又は２であり、モノマーの少なくとも一つは、
式
【化４８】
2004537637.tif 000002
を含み、ここで、ｎは０〜５０の整数であり、ｍは１〜３の整数であり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる。疎水性セグメントは、Ｃ１〜Ｃ２０アルキチオ官能価を含んでいてもよい。
【手続補正３】
【補正対象書類名】明細書
【補正対象項目名】００１１
【補正方法】変更
【補正の内容】
【００１１】
本発明の更なる実施態様では、ポリマーは、モノマー疎水性頭（ｈｅａｄ）と顔料分散剤の安定化剤として作用するポリマー尾（ｔａｉｌ）を含む。モノマー疎水性頭は、
式
【化４９】
2004537637.tif 000003
を含み、ここで、ｍは１〜３の整数であり、Ｘは重合可能な基で、好ましくはＯ、Ｎ又はＳであり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる。疎水性尾は
式
【化５０】
2004537637.tif 000004
又は、
式
【化５１】
2004537637.tif 000005
を含み、ポリ（アクリル酸）又はポリ（アクリル酸）誘導主鎖に結合する、ここで、ｎは０〜５０である。好適な実施態様では、Ｒ１はスチレン官能価であり、Ｘはエチレングリコール又はプロピレングリコールであり、疎水性尾の長さはｎ＝２５に設定される。更なる実施態様では、モノマー疎水性頭は、（エチレングリコール）２，４，６−トリス−（１−フェニルエチル）フェニルエーテルであり、疎水性尾の長さはｎ＝２５に設定される。
【手続補正４】
【補正対象書類名】明細書
【補正対象項目名】００１５
【補正方法】変更
【補正の内容】
【００１５】
発明の詳細な説明
本発明は、水性顔料インク組成物を安定化させるのに用いられるポリマー分散剤と、これら分散剤を含有する顔料インク組成物とに関する。本発明のポリマーは、約２，５００〜約２０，０００、好ましくは約３，０００〜約１５，０００の重量平均分子量を有する。このポリマーは、発色した顔料粒子の表面官能基と好適な相互作用を示す。これらの好適な相互作用は、現行の疎水性定着媒体と共にインク組成物における分散安定性を増加させる機能を果たす。この分散安定性の増加により、インクジェット印刷用途に用いられる高品質の発色顔料インクの製造が容易になる。このポリマーはまた、プリンタの停止中においてノズルが乾燥した後に、顔料の再分散を助ける役割も果たす。結局、このポリマーは、従来の水性染料インクに比べてインク組成物の改善された安定性、順応性、ならびに、優れた印刷品質を有する発色顔料インクの製造に用いられる。
【手続補正５】
【補正対象書類名】明細書
【補正対象項目名】００２０
【補正方法】変更
【補正の内容】
【００２０】
本発明の好適な疎水性セグメントは、複数のメタクリレート誘導モノマーを含むコポリマーを含み、少なくとも一つのモノマーが、
式
【化５２】
2004537637.tif 000006
のセグメントを含み、ここで、ｎは０〜５０の整数であり、ｍは１〜３の整数であり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる。本発明の更に好適な疎水性セグメントは、複数のメタクリレート誘導モノマーを含むコポリマーを含み、少なくとも一つのモノマーが、
式
【化５３】
2004537637.tif 000007
のセグメントを含み、ここで、ｎは０〜５０の整数であり、ｍは１〜３の整数であり、ｚは１〜５の整数であり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる。
【手続補正６】
【補正対象書類名】明細書
【補正対象項目名】００２１
【補正方法】変更
【補正の内容】
【００２１】
これに替わる、本発明の疎水性セグメントの好適な実施態様は、少なくとも２つのメタクリレート誘導モノマーを含むコポリマーであり、少なくとも一つのモノマーは、
式
【化５４】
2004537637.tif 000008
を含む置換されたメタクリレートエステルモノマー（アルキル基がシロキシル置換基で置換されたメタクリレートエステル、オリゴマーシロキサン）を含み、式中において、ｎは１〜２０の範囲であり、ｙは０、１又は２である、及び／又は、少なくとも一つのモノマーは、（エチレングリコール）２，４，６−トリス−（１−フェニルエチル）フェニルエーテルメタクリレートを含み、かつ、
式
【化５５】
2004537637.tif 000009
を含み、ここで、ｎは１〜２０であり、ｚは１〜５の整数である。
【手続補正７】
【補正対象書類名】明細書
【補正対象項目名】００２５
【補正方法】変更
【補正の内容】
【００２５】
本発明の更なる実施態様は、
【化５６】
2004537637.tif 000010
ここで、ｘは４〜４０、好ましくは９〜３６の範囲であり、
【化５７】
2004537637.tif 000011
ここで、ｑは１〜２０、ｙは０、１又は２であり、
【化５８】
2004537637.tif 000012
ここで、ｎは０〜５０の整数であり、ｍは１〜３の整数であり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる、のランダムな繰返し単位を含む。
【手続補正８】
【補正対象書類名】明細書
【補正対象項目名】００２６
【補正方法】変更
【補正の内容】
【００２６】
本発明の更なる実施態様では、ポリマーはモノマー疎水性頭と、分散剤の安定化剤として作用するポリマー尾とを含む。モノマー疎水性頭は、
式
【化５９】
2004537637.tif 000013
を含み、ここで、ｍは１〜３の整数であり、Ｘは重合可能な基、好ましくはＯ、Ｎ又はＳであり、各Ｒ１は、Ｃ１〜Ｃ９アルキル又はアリール−Ｃ１〜Ｃ９アルキルから独立に選択され、Ｒ１の少なくとも一つはアリール−Ｃ１〜Ｃ９アルキルで与えられる。親水性尾は
式
【化６０】
2004537637.tif 000014
又は、
【化６１】
2004537637.tif 000015
を含み、これはポリ（メタクリル酸）又はポリ（メタクリル酸）誘導主鎖に結合し、ｎは０〜５０である。好適な実施態様では、Ｒ１はスチレン官能価であり、Ｘはエチレングリコール又はプロピレングリコールであり、親水性尾の長さはｎ＝２５に設定される。更に好適な実施態様では、モノマー疎水性頭は、ローディア（Ｒｈｏｄｉａ）インコーポ（Ｉｎｃ．）からＳＩＰＯＭＥＲ／ＳＥＭ２５ＴＭとして購入可能な、又は、従来の合成方法を介してミリケン（Ｍｉｌｌｉｋｅｎ）インコーポ（Ｉｎｃ．）からのＳｙｎＦａｃaから合成可能な（エチレングリコール）２，４，６−トリス−（１−フェニルエチル）フェニルエーテルであり、疎水性尾の長さはｎ＝２５に設定される。このタイプの分散剤を用いることにより、ファンデルワールス相互作用のみによる分散剤では合格できない安定性試験にこの分散系は合格した。